(57)【要約】【課題】表示装置の設定変更に伴って、表示装置に接続された電子機器の設定変更をユーザが容易に行うことができる表示システム、表示装置及び電子機器を提供する。【解決手段】テレビジョン受信機１にて設定変更が行われた場合に、変更した設定に関する情報をテレビジョン受信機１が再生装置５へ送信し、これを受信した再生装置５が変更された設定に関連する情報を記憶部５５の取扱説明情報５５ｂから検索し、該当する情報を再生装置５からテレビジョン受信機１へ送信して表示部に表示する。テレビジョン受信機１から設定変更が通知された再生装置５は、テレビジョン受信機１の設定変更に連動して自装置にて変更すべき設定があるか否かを判定し、変更すべき設定がある場合に取扱説明情報５５ｂの検索を行う。【選択図】図２
2013254471.tif 000002
【特許請求の範囲】
【請求項１】
電子機器との接続を行う接続部、
動作に係る設定を変更する設定変更手段、
及び、該設定変更手段が設定を変更した場合に、前記接続部に接続された電子機器へ、変更した設定に係る情報を送信する設定変更情報送信手段
を有する表示装置と、
該表示装置との接続を行う接続部、
自機器に係る情報を記憶する記憶部、
前記設定変更情報送信手段が送信した情報を受信する設定変更情報受信手段、
該設定変更情報受信手段が受信した情報を基に、前記変更した設定に関連する情報を、前記記憶部に記憶した情報から検索する検索手段、
及び、該検索手段が検索した情報を前記表示装置へ送信する検索情報送信手段
を有する電子機器と
を備え、
前記表示装置は、
前記検索情報送信手段が送信した情報を受信する検索情報受信手段、
及び、該検索情報受信手段が受信した情報を表示する処理を行う表示処理手段
を更に有すること
を特徴とする表示システム。
【請求項２】
前記電子機器の前記記憶部は、自機器の取扱説明情報を記憶すること
を特徴とする請求項１に記載の表示システム。
【請求項３】
前記電子機器は、前記設定変更情報受信手段が受信した情報を基に、前記表示装置にて変更した設定に関連して、自機器にて変更すべき設定の有無を判定する設定変更判定手段を有し、
前記検索手段は、変更すべき設定が有ると前記設定変更判定手段が判定した場合に、情報を検索するようにしてあること
を特徴とする請求項１又は請求項２に記載の表示システム。
【請求項４】
前記電子機器は、前記検索手段の検索結果に基づいて、前記変更した設定に関する情報の有無を前記表示装置へ通知する情報有無通知手段を有し、
前記表示装置は、
前記情報有無通知手段から情報有りと通知された場合に、該情報の表示可否の選択を受け付ける選択受付手段、
及び、該選択受付手段が受け付けた表示可否を前記電子機器へ通知する表示可否通知手段
を有し、
前記電子機器の前記検索情報送信手段は、前記表示可否通知手段から表示許可の通知が与えられた場合に、情報を送信するようにしてあること
を特徴とする請求項１から請求項３までのいずれか１つに記載の表示システム。
【請求項５】
前記表示装置は、前記設定変更手段が変更し得る設定項目に関連付けられた語句を記憶する記憶部を有し、
前記設定変更情報送信手段は、変更した設定項目に関連付けて前記記憶部に記憶された語句を送信するようにしてあり、
前記検索手段は、前記設定変更情報受信手段が受信した語句を含む情報を検索するようにしてあること
を特徴とする請求項１から請求項４までのいずれか１つに記載の表示システム。
【請求項６】
前記電子機器は、前記表示装置へ画像を出力する画像出力手段を有し、
前記表示処理手段は、前記画像出力手段が出力した画像、及び、前記検索情報受信手段が受信した情報を、並べて表示するようにしてあること
を特徴とする請求項１から請求項５までのいずれか１つに記載の表示システム。
【請求項７】
前記表示装置は、前記接続部を複数有し、前記設定変更手段が設定を変更した場合に、複数の前記接続部に接続された複数の電子機器から一の電子機器を選択する電子機器選択手段を更に有し、
前記設定変更情報送信手段は、前記電子機器選択手段が選択した電子機器へ情報を送信するようにしてあること
を特徴とする請求項１から請求項６までのいずれか１つに記載の表示システム。
【請求項８】
前記電子機器は、前記表示装置へ画像を出力する画像出力手段を有し、
前記表示装置は、複数の前記電子機器が出力した複数の画像から一の画像を選択する画像選択手段を有し、
前記表示処理手段は、前記画像選択手段が選択した画像を表示するようにしてあり、
前記電子機器選択手段は、前記画像選択手段が選択した画像を出力する電子機器を選択するようにしてあること
を特徴とする請求項７に記載の表示システム。
【請求項９】
前記表示装置は、前記検索情報受信手段が受信した情報の前記表示処理手段による表示処理を停止する指示を受け付ける停止指示受付手段を有し、
前記表示処理手段は、前記停止指示受付手段が停止指示を受け付けた場合に、前記検索情報受信手段が受信した情報の表示処理を停止し、該情報の表示処理を行う以前に表示していた画像の表示処理を行うようにしてあること
を特徴とする請求項１から請求項８までのいずれか１つに記載の表示システム。
【請求項１０】
電子機器との接続を行う接続部と、
動作に係る設定を変更する設定変更手段と、
該設定変更手段が設定を変更した場合に、前記接続部に接続された電子機器へ、変更した設定に係る情報を送信する設定変更情報送信手段と、
該設定変更情報送信手段が送信した情報に応じて前記電子機器から送信される情報を受信する受信手段と、
該受信手段が受信した情報を表示する処理を行う表示処理手段と
を備えること
を特徴とする表示装置。
【請求項１１】
表示装置との接続を行う接続部と、
自機器に係る情報を記憶する記憶部と、
前記接続部に接続された装置から変更した設定に係る情報を受信する設定変更情報受信手段と、
該設定変更情報受信手段が受信した情報を基に、前記変更した設定に関連する情報を、前記記憶部に記憶した情報から検索する検索手段と、
該検索手段が検索した情報を前記表示装置へ送信する検索情報送信手段と
を備えること
を特徴とする電子機器。
【発明の詳細な説明】
【技術分野】
【０００１】
本発明は、表示装置に外部の電子機器を接続した表示システム、並びにこのシステムを構成する表示装置及び電子機器に関する。
【背景技術】
【０００２】
従来、表示装置は単体で利用されるのみでなく、再生装置又はオーディオ装置等の電子機器が接続されて利用される場合も多い。例えばテレビジョン受信機にＢＤ（Blue-ray Disc）プレーヤを接続することで、ＢＤプレーヤにて再生した映像をテレビジョン受信機に表示してユーザが視聴することができる。また例えばテレビジョン受信機に複数のスピーカを接続することで、ユーザは迫力又は臨場感等のある音声出力を楽しむことができる。
【０００３】
近年の表示装置及び電子機器等は、ユーザの利便性又は快適性等を向上するために高機能化されている。このため、例えば表示装置では表示の明るさ及び画質の設定など各種の設定変更を行うことができ、適切な設定変更を行うことによって表示装置の機能を最大限に利用し、ユーザの好みに適した動作を表示装置に行わせることができる。ただしユーザが初心者の場合には設定変更が難しいという問題がある。
【０００４】
特許文献１においては、機器を設定する際に、機器へのオプション装置の搭載状況に応じた形態で表示される取扱説明を参照しながら、表示されている通りの内容の設定を確実に実行できる機器設定システムが提案されている。この機器設定システムは、ＰＣ（Personal Computer）を用いて、各種オプション装置を搭載可能なＭＦＰ（MultiFunction Peripheral）の設定を行う。ＰＣは、ＭＦＰの各種機能の説明、オプション装置の搭載状況及び個々の機能についての設定指示情報を記憶すると共に、説明の記載箇所を機能毎に記憶する。ＰＣは、表示部に説明を表示する際に、ＭＦＰの搭載機能について表示する場合と未搭載機能について表示する場合とで異なる態様で表示する。またＰＣは、搭載機能について表示する場合には、この機能の設定指示受付部を併せて表示し、設定指示受付部で設定の指示を受け付けた場合、この機能の設定指示情報をＭＦＰへ送信する。
【先行技術文献】
【特許文献】
【０００５】
【特許文献１】特開２００９−２６０４９６号公報
【発明の概要】
【発明が解決しようとする課題】
【０００６】
上述のような表示装置に電子機器を接続した構成では、表示装置の設定変更に伴って接続した電子機器の設定変更を行う必要がある場合がある。例えば３Ｄ表示機能を有するテレビジョン受信機に３Ｄ映像の再生機能を有するＢＤプレーヤを接続して利用する場合、テレビジョン受信機の３Ｄ表示機能を有効と設定した場合、ＢＤプレーヤの３Ｄ再生機能を有効としなければ、ユーザは３Ｄ映像を視聴することはできない。このように表示装置及び接続された電子機器の両方で設定変更を行う必要がある場合に、いずれか一方の設定変更を行い、他方の設定変更を忘れると、ユーザは最適な環境での視聴ができないという問題がある。
【０００７】
特許文献１に記載の機器設定システムは、ＰＣがＭＦＰに関する各種の情報を記憶しておく必要があり、ＰＣの処理負荷が大きい。表示装置に電子機器を接続したシステムに対して、特許文献１に記載の機器設定システムの構成を適用した場合、例えば表示装置が電子機器に関する各種の情報を記憶しておかなければならず、表示装置の処理負荷が大きいという問題がある。表示装置には種々の電子機器が接続され得るため、表示装置が接続され得る全ての電子機器について情報を記憶しておくことは非常に困難である。
【０００８】
本発明は、斯かる事情に鑑みてなされたものであって、その目的とするところは、表示装置の設定変更に伴って、表示装置に接続された電子機器の設定変更をユーザが容易に行うことができる表示システム、表示装置及び電子機器を提供することにある。
【課題を解決するための手段】
【０００９】
本発明に係る表示システムは、電子機器との接続を行う接続部、動作に係る設定を変更する設定変更手段、及び、該設定変更手段が設定を変更した場合に、前記接続部に接続された電子機器へ、変更した設定に係る情報を送信する設定変更情報送信手段を有する表示装置と、該表示装置との接続を行う接続部、自機器に係る情報を記憶する記憶部、前記設定変更情報送信手段が送信した情報を受信する設定変更情報受信手段、該設定変更情報受信手段が受信した情報を基に、前記変更した設定に関連する情報を、前記記憶部に記憶した情報から検索する検索手段、及び、該検索手段が検索した情報を前記表示装置へ送信する検索情報送信手段を有する電子機器とを備え、前記表示装置は、前記検索情報送信手段が送信した情報を受信する検索情報受信手段、及び、該検索情報受信手段が受信した情報を表示する処理を行う表示処理手段を更に有することを特徴とする。
【００１０】
また、本発明に係る表示システムは、前記電子機器の前記記憶部が、自機器の取扱説明情報を記憶することを特徴とする。
【００１１】
また、本発明に係る表示システムは、前記電子機器が、前記設定変更情報受信手段が受信した情報を基に、前記表示装置にて変更した設定に関連して、自機器にて変更すべき設定の有無を判定する設定変更判定手段を有し、前記検索手段は、変更すべき設定が有ると前記設定変更判定手段が判定した場合に、情報を検索するようにしてあることを特徴とする。
【００１２】
また、本発明に係る表示システムは、前記電子機器が、前記検索手段の検索結果に基づいて、前記変更した設定に関する情報の有無を前記表示装置へ通知する情報有無通知手段を有し、前記表示装置は、前記情報有無通知手段から情報有りと通知された場合に、該情報の表示可否の選択を受け付ける選択受付手段、及び、該選択受付手段が受け付けた表示可否を前記電子機器へ通知する表示可否通知手段を有し、前記電子機器の前記検索情報送信手段は、前記表示可否通知手段から表示許可の通知が与えられた場合に、情報を送信するようにしてあることを特徴とする。
【００１３】
また、本発明に係る表示システムは、前記表示装置が、前記設定変更手段が変更し得る設定項目に関連付けられた語句を記憶する記憶部を有し、前記設定変更情報送信手段は、変更した設定項目に関連付けて前記記憶部に記憶された語句を送信するようにしてあり、前記検索手段は、前記設定変更情報受信手段が受信した語句を含む情報を検索するようにしてあることを特徴とする。
【００１４】
また、本発明に係る表示システムは、前記電子機器が、前記表示装置へ画像を出力する画像出力手段を有し、前記表示処理手段は、前記画像出力手段が出力した画像、及び、前記検索情報受信手段が受信した情報を、並べて表示するようにしてあることを特徴とする。
【００１５】
また、本発明に係る表示システムは、前記表示装置が、前記接続部を複数有し、前記設定変更手段が設定を変更した場合に、複数の前記接続部に接続された複数の電子機器から一の電子機器を選択する電子機器選択手段を更に有し、前記設定変更情報送信手段は、前記電子機器選択手段が選択した電子機器へ情報を送信するようにしてあることを特徴とする。
【００１６】
また、本発明に係る表示システムは、前記電子機器が、前記表示装置へ画像を出力する画像出力手段を有し、前記表示装置は、複数の前記電子機器が出力した複数の画像から一の画像を選択する画像選択手段を有し、前記表示処理手段は、前記画像選択手段が選択した画像を表示するようにしてあり、前記電子機器選択手段は、前記画像選択手段が選択した画像を出力する電子機器を選択するようにしてあることを特徴とする。
【００１７】
また、本発明に係る表示システムは、前記表示装置が、前記検索情報受信手段が受信した情報の前記表示処理手段による表示処理を停止する指示を受け付ける停止指示受付手段を有し、前記表示処理手段は、前記停止指示受付手段が停止指示を受け付けた場合に、前記検索情報受信手段が受信した情報の表示処理を停止し、該情報の表示処理を行う以前に表示していた画像の表示処理を行うようにしてあることを特徴とする。
【００１８】
また、本発明に係る表示装置は、電子機器との接続を行う接続部と、動作に係る設定を変更する設定変更手段と、該設定変更手段が設定を変更した場合に、前記接続部に接続された電子機器へ、変更した設定に係る情報を送信する設定変更情報送信手段と、該設定変更情報送信手段が送信した情報に応じて前記電子機器から送信される情報を受信する受信手段と、該受信手段が受信した情報を表示する処理を行う表示処理手段とを備えることを特徴とする。
【００１９】
また、本発明に係る電子機器は、表示装置との接続を行う接続部と、自機器に係る情報を記憶する記憶部と、前記接続部に接続された装置から変更した設定に係る情報を受信する設定変更情報受信手段と、該設定変更情報受信手段が受信した情報を基に、前記変更した設定に関連する情報を、前記記憶部に記憶した情報から検索する検索手段と、該検索手段が検索した情報を前記表示装置へ送信する検索情報送信手段とを備えることを特徴とする。
【００２０】
本発明においては、表示装置に電子機器が接続されたシステムにて、表示装置の設定変更を行った場合、変更した設定に係る情報（設定変更情報という）を電子機器へ送信する。電子機器は、自機器に係る情報を記憶する記憶部を有し、表示装置から設定変更情報を受信した場合、変更した設定に関連する情報を記憶部に記憶した情報から検索し、検索により得られた情報を表示装置へ送信する。電子機器から情報を受信した表示装置は、この情報を表示部に表示する。
これにより、ユーザが表示装置の設定変更を行った場合、変更した設定に関連する情報が電子機器にて検索され、検索結果が表示装置にて表示される。設定変更を行ったユーザは、表示装置に表示された情報から、表示装置に接続された電子機器の設定を変更する必要があるか否か、及び、設定変更の方法等を確認することができる。
【００２１】
また、本発明においては、電子機器の記憶部に取扱説明情報を記憶する。これにより、ユーザが表示装置の設定変更を行った場合、変更した設定に関連する電子機器の取扱説明情報が検索されて表示装置に表示される。ユーザは、表示された取扱説明情報を基に、電子機器の設定変更を行うことができる。
【００２２】
また、本発明においては、表示装置からの設定変更情報を受信した電子機器は、表示装置にて変更した設定に関連して自機器にて変更すべき設定があるか否かを判定し、変更すべき設定がある場合に記憶部に記憶した情報の検索を行う。これにより電子機器にて変更すべき設定がないにもかかわらず不要な検索処理が行われることを防止できる。
【００２３】
また、本発明においては、記憶部に記憶した情報の検索結果に基づき、表示装置が表示すべき情報の有無を電子機器が表示装置へ通知する。電子機器から情報有りの通知を受けた場合、表示装置はこの情報の表示を許可するか否かの選択をユーザに行わせ、選択結果を電子機器へ通知する。表示許可の選択がなされた場合、電子機器は表示装置へ情報送信を行い、これを受信した表示装置が情報を表示する。これにより、情報の表示が不要であるにも関わらず電子機器から表示装置への情報送信が行われることを防止できると共に、例えば設定変更を熟知したユーザなどにとって既知の情報が表示される煩わしさを回避できる。
【００２４】
また、本発明においては、設定項目に関連付けられた語句を表示装置が記憶しておき、設定変更がなされた場合に変更した設定項目及びこれに関連付けられた語句を設定変更情報に含めて表示装置から電子機器へ送信する。電子機器は、受信した設定変更情報に含まれた語句に基づく検索を行い、記憶部に記憶した情報からこの語句を含む情報を取得し、表示装置へ送信する。これにより電子機器が記憶する情報は、例えばテキスト情報など、語句の検索を行うことができる形式であればよく、特別な形式の情報でなくてよいため、種々の電子機器を本システムに対応させることを容易化できる。
【００２５】
また、本発明においては、電子機器が画像出力を行い、この画像を表示装置が表示する。また表示装置は、上記のように設定変更に伴って電子機器から受信した情報を表示する場合に、この情報と電子機器の出力画像とを並べて表示する。これにより電子機器の設定変更画面などと、設定に関連する情報とを表示装置に並べて表示することが可能となり、ユーザによる電子機器の設定変更を容易化できる。
【００２６】
また、本発明においては、表示装置が複数の接続部を備えることによって、複数の電子機器を接続することが可能な構成とする。設定変更が行われた場合、表示装置は、接続された複数の電子機器から一の電子機器を選択して、設定変更に係る情報送信を行う。
例えば複数の電子機器がそれぞれ画像を出力するものであり、表示装置がいずれか１つの画像を選択して表示を行う場合に、表示中の画像の出力元である電子機器を選択して設定変更に係る情報送信を行うことができる。
これにより、ユーザが設定変更を行った場合に、使用している電子機器へ設定変更に係る情報送信を行うことができ、この電子機器からの取扱説明情報などを受信して表示装置に表示させることができる。
【００２７】
また、本発明においては、設定変更に伴って電子機器から受信した情報を表示している際に、この情報の表示を停止する指示の受け付けを表示装置が行う。停止指示を受け付けた場合、表示装置は、この情報表示を行う前に行っていた表示処理を行う。これにより表示装置は、取扱説明情報などの表示を行う前の視聴状態に復帰するため、ユーザは取扱説明情報などの表示前に行っていた設定変更などの動作を継続して行うことができ、利便性が高い。
【発明の効果】
【００２８】
本発明による場合は、表示装置の設定変更が行われた場合に、表示装置から送信された設定変更情報に基づいて、変更した設定に関連する情報を電子機器が検索して表示装置へ送信し、検索された情報を表示装置が表示する。この構成により、表示装置の設定変更に伴って表示される情報に基づき、ユーザは表示装置に接続された電子機器の設定を変更する必要があるか否か、及び、設定変更の方法等を確認することができるため、電子機器の設定変更を容易に行うことができる。
【図面の簡単な説明】
【００２９】
【図１】本実施の形態に係る表示システムの構成を示すブロック図である。
【図２】本実施の形態に係る表示システムの構成を示すブロック図である。
【図３】テレビジョン受信機の設定変更画面の一例を示す模式図である。
【図４】テレビジョン受信機が行う設定変更処理の手順を示すフローチャートである。
【図５】検索用単語情報の一例を示す模式図である。
【図６】テレビジョン受信機からの設定変更通知に対する再生装置の応答処理の手順を示すフローチャートである。
【図７】再生装置からの取扱説明情報の通知に対して行うテレビジョン受信機の処理の手順を示すフローチャートである。
【図８】テレビジョン受信機が表示する取扱説明の表示選択画面の一例を示す模式図である。
【図９】テレビジョン受信機からの取扱説明の送信要求に対する再生装置の応答処理の手順を示すフローチャートである。
【図１０】テレビジョン受信機による取扱説明の表示処理の手順を示すフローチャートである。
【図１１】テレビジョン受信機による取扱説明の表示例を示す模式図である。
【図１２】テレビジョン受信機による取扱説明の表示停止処理の手順を示すフローチャートである。
【図１３】実施の形態２に係るテレビジョン受信機の構成を示すブロック図である。
【図１４】実施の形態２に係るテレビジョン受信機が行う設定変更処理の手順を示すフローチャートである。
【発明を実施するための形態】
【００３０】
（実施の形態１）
以下、本発明をその実施の形態を示す図面に基づき具体的に説明する。図１及び図２は、本実施の形態に係る表示システムの構成を示すブロック図である。本実施の形態に係る表示システムは、テレビジョン受信機１に再生装置５を接続した構成である。なお、テレビジョン受信機１の詳細構成を図１に示し、再生装置５の詳細構成を図２に示してある。
【００３１】
テレビジョン受信機１は、テレビジョン放送の電波を受信するチューナ部１１を備え、受信したテレビジョン放送の番組に係る画像を表示部１２に表示する。チューナ部１１は、ユーザの選局操作に応じて所定のテレビジョン放送を受信し、受信したデータを制御部１０へ与える。制御部１０は、チューナ部１１から与えられた受信データをデコードし、デコードしたデータに含まれる画像（映像）データに対して画質補正などの画像処理を行い、画像処理後のデータを表示部１２へ与える。表示部１２は、例えば液晶パネル又はＰＤＰ（Plasma Display Panel）等を用いて構成され、制御部１０から与えられた画像データに基づく画像表示を行う。また図示は省略するが、制御部１０は、デコードしたデータに含まれる音声データをスピーカへ与えることにより音声出力を行う。
【００３２】
テレビジョン受信機１は、外部の電子機器がケーブルなどを介して接続される接続端子を有する画像入力部１３を備えている。画像入力部１３には、再生装置５などの画像データを出力する電子機器が接続される。再生装置５が出力した画像データは、テレビジョン受信機１の画像入力部１３へ入力され、画像入力部１３は入力された画像データを制御部１０へ与える。制御部１０は、与えられた画像データに対して画質補正などの画像処理を行い、画像処理後のデータを表示部１２へ与えることにより、画像表示を行うこともできる。また図示は省略するが、テレビジョン受信機１には再生装置５から画像データと共に音声データが入力され、入力された音声データが制御部１０からスピーカへ与えられ音声出力される。
【００３３】
またテレビジョン受信機１は、再生装置５などの外部の電子機器が通信ケーブルを介して接続される接続端子を有する通信部１４を備えている。通信部１４は、通信ケーブルを介して再生装置５との間でデータの送受信を行う。通信部１４は、制御部１０から与えられたデータを再生装置５へ送信すると共に、再生装置５からのデータを受信して制御部１０へ与える。
【００３４】
テレビジョン受信機１には、ユーザが操作を行うためのリモートコントローラ（以下、リモコンという）３が付属している。リモコン３は、例えば電源ボタン、選局ボタン及び音量増減ボタン等の種々の操作部が設けられており、ユーザが操作した操作部に応じた赤外線信号を出力する。テレビジョン受信機１は、リモコン３が出力した赤外線信号を受光する赤外線受光部１５を備えている。赤外線受光部１５は、受光した赤外線信号を電気信号に変換して制御部１０へ与える。制御部１０は、赤外線受光部１５から与えられた電気信号に基づいてユーザの操作内容を判断し、操作内容に応じて例えば電源のオン／オフ、選局の切り替え及び音量の増減等の処理を行う。なおテレビジョン受信機１の本体部に操作部が設けられていてもよい。
【００３５】
テレビジョン受信機１は、種々のデータを一時的に記憶するＲＡＭ（Random Access Memory）１６を備えている。ＲＡＭ１６は、ＳＲＡＭ（Static RAM）又はＤＲＡＭ（Dynamic RAM）等のメモリ素子で構成され、制御部１０の処理過程において発生した一時的なデータ、通信部１４にて送受信するデータ、又は、チューナ部１１にて受信したデータに含まれる番組表データ等の種々のデータが記憶される。
【００３６】
またテレビジョン受信機１は、ＥＥＰＲＯＭ（Electrically Erasable Programmable Read Only Memory）若しくはフラッシュメモリ等のメモリ素子、又は、ハードディスク等で構成された不揮発性の記憶部１７を備えている。制御部１０は、ＣＰＵ（Central Processing Unit）又はＭＰＵ（Micro Processing Unit）等の演算処理装置を備えて構成されており、記憶部１７に記憶された制御プログラムを読み出して実行することにより、種々の制御処理を行う。記憶部１７には、この制御プログラムと、制御プログラムの実行に必要な各種のデータとが記憶されている。
【００３７】
テレビジョン受信機１は、例えば表示部１２による画像表示の明るさ又は画質等の設定、ステレオ／モノラルの切り替え又はサラウンド等の音声出力に関する設定、及び、字幕表示の有無又は３Ｄ表示のオン／オフ等の設定等の各種の機能に関する設定を、ユーザのリモコン３に対する操作によって受け付ける。制御部１０は、受け付けた内容に応じて動作の設定を変更すると共に、設定内容（設定値）を設定情報１７ａとして記憶部１７に記憶する。テレビジョン受信機１は、電源投入時などに記憶部１７から設定情報１７ａを読み出し、記憶された設定内容での動作を開始する。また詳しくは後述するが、本実施の形態に係るテレビジョン受信機１は、設定変更の処理を再生装置５と連動して行う際に用いる検索用単語情報１７ｂを記憶部１７に記憶している。
【００３８】
再生装置５は、ＢＤ又はＤＶＤ（Digital Versatile Disk）等のディスク型の記録媒体７を装着するディスク装着部５１を備え、記録媒体７に記録された画像をテレビジョン受信機１へ出力することにより、画像の表示を行うものである。ディスク装着部５１は、装着された記録媒体７に記録されたデータを読み出して制御部５０へ与える。制御部５０は、ディスク装着部５１から与えられたデータに含まれる画像データに対して画質補正などの画像処理を行い、画像処理後のデータを画像出力部５３へ与える。
【００３９】
再生装置５は、外部の電子機器がケーブルなどを介して接続される接続端子を有する画像出力部５３を備えている。画像出力部５３には、テレビジョン受信機１などの画像を表示する装置が接続される。画像出力部５３が出力した画像データは、テレビジョン受信機１にて適宜の画像処理が施されて表示部１２に表示される。また図示は省略するが、再生装置５は記録媒体７に記録された画像データと共に音声データを読み出してテレビジョン受信機１へ出力しており、テレビジョン受信機１は入力された音声データに基づく音声出力をスピーカにて行う。
【００４０】
また再生装置５は、テレビジョン受信機１などの外部の電子機器が通信ケーブルを介して接続される接続端子を有する通信部５４を備えている。通信部５４は、通信ケーブルを介してテレビジョン受信機１との間でデータの送受信を行う。通信部５４は、制御部５０から与えられたデータをテレビジョン受信機１へ送信すると共に、テレビジョン受信機１からのデータを受信して制御部５０へ与える。
【００４１】
再生装置５は、種々のデータを一時的に記憶するＲＡＭ５２を備えている。ＲＡＭ１６は、ＳＲＡＭ又はＤＲＡＭ等のメモリ素子で構成され、制御部５０の処理過程において発生した一時的なデータ、通信部５４にて送受信するデータ、又は、ディスク装着部５１にて記録媒体７から読み出したデータ等の種々のデータが記憶される。
【００４２】
また再生装置５は、ＥＥＰＲＯＭ若しくはフラッシュメモリ等のメモリ素子、又は、ハードディスク等で構成された不揮発性の記憶部５５を備えている。制御部５０は、ＣＰＵ又はＭＰＵ等の演算処理装置を備えて構成されており、記憶部５５に記憶された制御プログラムを読み出して実行することにより、種々の制御処理を行う。記憶部５５には、この制御プログラムと、制御プログラムの実行に必要な各種のデータとが記憶されている。
【００４３】
再生装置５は、ユーザが操作を行うための各種のボタン又はスイッチ等が設けられた操作部５６を備えている。操作部５６は、ユーザの操作を受け付けて、受け付けた操作内容を制御部５０へ通知する。再生装置５は、例えば画像出力部５３から出力する画像に係る設定、出力する音声に係る設定、字幕情報の出力の要否設定、及び、３Ｄ表示用の画像出力の要否設定等の各種の機能に関する設定を操作部５６にて受け付ける。制御部５０は、受け付けた内容に応じて動作の設定を変更すると共に、設定内容を設定情報５５ａとして記憶部５５に記憶する。再生装置５は、電源投入時などに記憶部５５から設定情報５５ａを読み出し、記憶された設定内容での動作を開始する。
【００４４】
また再生装置５は、ユーザが再生装置５の操作を行う際に参照する取扱説明情報５５ｂを記憶部５５に記憶している。取扱説明情報５５ｂは、再生装置５の操作方法及び各種機能の設定方法等が記載された情報であり、画像及びテキスト等の情報で構成されている。なお取扱説明情報５５ｂのデータ形式はどのようなものであってもよいが、少なくともテキスト検索を行うことができるデータ形式であることが好ましい。ユーザが操作部５６にて取扱説明情報５５ｂを表示する操作を行った場合、制御部５０は、記憶部５５から取扱説明情報５５ｂを読み出し、表示用の画像データとして画像出力部５３からテレビジョン受信機１へ出力する。これにより取扱説明情報５５ｂがテレビジョン受信機１の表示部１２に表示され、ユーザは表示された画像を見ながら再生装置５の操作を行うことができる。
【００４５】
このようにテレビジョン受信機１及び再生装置５は、動作に係る種々の設定をユーザの好みに応じてそれぞれ変更することができる。テレビジョン受信機１及び再生装置５を接続したシステム構成では、テレビジョン受信機１の設定変更を行った場合に、再生装置５の対応する機能の設定を変更する必要が生じること、又は、設定を変更した方が好ましいことがある。例えばテレビジョン受信機１の３Ｄ表示機能のオン／オフ設定を切り替えた場合、再生装置５の３Ｄ表示機能のオン／オフ設定をテレビジョン受信機１と同じ設定とすることが好ましい。
【００４６】
そこで本実施の形態に係るテレビジョン受信機１及び再生装置５は、テレビジョン受信機１の設定変更に伴う再生装置５の設定変更を支援する処理を行うことができる。即ち、テレビジョン受信機１の設定変更が行われた場合に、これに伴って設定変更を行った方がよい再生装置５の機能に関する取扱説明を取扱説明情報５５ｂから検索し、該当する取扱説明を表示部１２に表示する処理を行う。以下、テレビジョン受信機１及び再生装置５が行う設定変更処理について説明する。
【００４７】
図３は、テレビジョン受信機１の設定変更画面の一例を示す模式図である。テレビジョン受信機１は、例えばユーザがリモコン３に設けられた設定ボタンなどに対する操作を行った際に、図３に示す設定変更画面を表示部１２に表示する。図示の設定変更画面では、画面中の上部に”ツール”、”リンク操作”、…、”設定”の項目が左右に並べて表示されており、ユーザはリモコン３のカーソルキーなどによりいずれかの項目を選択することができる。本例ではユーザが”設定”の項目を選択し、これに応じてテレビジョン受信機１が複数の設定項目を表示し（図示は省略する）、更に設定項目の中からユーザが”３Ｄ自動切替”を選択し、テレビジョン受信機１が３Ｄ自動切替の設定を行うためのメニューを表示部１２の右端に表示している。ユーザはリモコン３を操作して、３Ｄ自動切替を”する”又は”しない”の選択を行うことができる。
【００４８】
図４は、テレビジョン受信機１が行う設定変更処理の手順を示すフローチャートである。テレビジョン受信機１の制御部１０は、図３に示した設定変更画面に対するユーザのリモコン３の操作によって、設定が変更されたか否かを判定し（ステップＳ１）、設定が変更されていない場合には（Ｓ１：ＮＯ）、設定が変更されるまで待機する。設定が変更された場合（Ｓ１：ＹＥＳ）、制御部１０は、変更された設定に応じて各部の動作内容などを変更する設定変更処理を行うと共に（ステップＳ２）、変更された設定情報を記憶部１７に記憶する（ステップＳ３）。
【００４９】
次いで制御部１０は、通信部１４に再生装置５などの外部機器が接続されているか否かを判定する（ステップＳ４）。外部機器が接続されていない場合（Ｓ４：ＮＯ）、制御部１０は、処理を終了する。外部機器が接続されている場合（Ｓ４：ＹＥＳ）、制御部１０は、記憶部１７の検索用単語情報１７ｂから、変更された設定に対応する検索用単語を取得し（ステップＳ５）、接続された外部機器へ通信部１４から設定変更を通知し（ステップＳ６）、処理を終了する。
【００５０】
図５は、検索用単語情報１７ｂの一例を示す模式図である。テレビジョン受信機１は、ユーザが設定変更可能な設定項目に、一又は複数の単語（語句）が対応付けられた検索用単語情報１７ｂを記憶部１７に記憶している。本例の検索用単語情報１７ｂでは、設定項目として”連動動作設定”、”３Ｄ自動切替”、”暗証番号設定”…等が設けられている。”連動動作設定”の設定項目には、例えば”ＨＤＭＩ（High-Definition Multimedia Interface）”、”連動”、”動作”及び”設定”の単語が対応付けられている。”３Ｄ自動切替”の設定項目には、例えば”３Ｄ”、”自動”及び”切替”の単語が対応付けられている。”暗証番号設定”の設定項目には、例えば”暗証番号”及び”設定”の単語が対応付けられている。これらの単語は、テキスト情報として、テレビジョン受信機１の設計者などが予め設定しておくものであってよく、その他の方法で決定されるものであってもよい。
【００５１】
上述のフローチャートのステップＳ５にて制御部１０は、変更された設定項目に対応する単語を記憶部１７の検索用単語情報１７ｂから読み出して取得する。また制御部１０は、ステップＳ６にて外部機器への設定変更を通知するが、このときに変更された設定項目と、この設定項目に対応する検索用の単語とを含む情報を、外部機器へ送信する。
【００５２】
図６は、テレビジョン受信機１からの設定変更通知に対する再生装置５の応答処理の手順を示すフローチャートである。再生装置５の制御部５０は、通信部５４にてテレビジョン受信機１から設定変更の通知を受信したか否かを判定し（ステップＳ１１）、設定変更の通知を受信していない場合（Ｓ１１：ＮＯ）、設定変更の通知を受信するまで待機する。設定変更の通知を受信した場合（Ｓ１１：ＹＥＳ）、制御部５０は、設定変更の通知と共に受信される情報に含まれる設定項目に基づいて、例えば記憶部５５の設定情報５５ａなどを参照することにより、テレビジョン受信機１にて変更された設定項目に連動して設定変更すべき自らの設定項目を検索し（ステップＳ１２）、連動する設定項目があるか否かを判定する（ステップＳ１３）。連動する設定項目がない場合（Ｓ１３：ＮＯ）、制御部５０は処理を終了する。
【００５３】
連動する設定項目がある場合（Ｓ１３：ＹＥＳ）、制御部５０は、設定変更の通知と共に受信した検索用単語を用いて、記憶部５５に記憶した取扱説明情報５５ｂの検索を行う（ステップＳ１４）。このとき制御部５０は、受信した一又は複数の検索用単語の全てが含まれるページなど、検索用単語に該当する情報を取扱説明情報５５ｂから検索する。なお該当する情報が複数存在する場合、制御部５０は、例えば検索用単語が最も多く含まれる一の情報などを検索結果とすればよい。
【００５４】
取扱説明情報５５ｂの検索の結果から、制御部５０は、検索用単語に該当する情報が存在するか否かを判定し（ステップＳ１５）、該当する情報が存在しない場合（Ｓ１５：ＮＯ）、処理を終了する。該当する情報が存在する場合（Ｓ１５：ＹＥＳ）、制御部５０は、通信部５４にてテレビジョン受信機１へ、取扱説明が存在する旨を通知し（ステップＳ１６）、処理を終了する。
【００５５】
図７は、再生装置５からの取扱説明情報の通知に対して行うテレビジョン受信機１の処理の手順を示すフローチャートである。テレビジョン受信機１の制御部１０は、通信部１４にて再生装置５から取扱説明が存在する旨の通知を受信したか否かを判定し（ステップＳ２１）、通知を受信していない場合には（Ｓ２１：ＮＯ）、通知を受信するまで待機する。取扱説明が存在する旨の通知を受信した場合（Ｓ２１：ＹＥＳ）、制御部５０は、取扱説明の表示選択画面を表示部１２に表示する（ステップＳ２２）。
【００５６】
図８は、テレビジョン受信機１が表示する取扱説明の表示選択画面の一例を示す模式図である。図示の表示選択画面は、例えば図３に示した設定変更画面に重ねて表示されるダイアログボックスである。表示選択画面には、例えばユーザに対して取扱説明を表示するか否かを問い合わせる文章と、”表示する”及び”表示しない”のラベルを付した２つのボタンとが設けられ、テレビジョン受信機１はリモコン３の操作に応じて”表示する”又は”表示しない”のいずれか一方の選択を受け付ける（ステップＳ２３）。
【００５７】
テレビジョン受信機１の制御部１０は、取扱説明の表示選択画面にて、”表示する”が選択されたか否かを判定し（ステップＳ２４）、”表示する”が選択されていない場合、即ち”表示しない”が選択された場合には（Ｓ２４：ＮＯ）、処理を終了する。”表示する”が選択された場合（Ｓ２４：ＹＥＳ）、制御部１０は、通信部１４にて再生装置５へ取扱説明の送信を要求し（ステップＳ２５）、処理を終了する。
【００５８】
図９は、テレビジョン受信機１からの取扱説明の送信要求に対する再生装置５の応答処理の手順を示すフローチャートである。再生装置５の制御部５０は、通信部５４にてテレビジョン受信機１から取扱説明の送信要求を受信したか否かを判定し（ステップＳ３１）、送信要求を受信していない場合（Ｓ３１：ＮＯ）、送信要求を受信するまで待機する。取扱説明の送信要求を受信した場合（Ｓ３１：ＹＥＳ）、制御部５０は、記憶部１７に記憶した取扱説明情報１７ｂから該当する情報を抽出して通信部５４にてテレビジョン受信機１へ送信し（ステップＳ３２）、処理を終了する。
【００５９】
図１０は、テレビジョン受信機１による取扱説明の表示処理の手順を示すフローチャートである。テレビジョン受信機１の制御部１０は、通信部１４にて再生装置５から取扱説明を受信したか否かを判定し（ステップＳ４１）、取扱説明を受信していない場合（Ｓ４１：ＮＯ）、取扱説明を受信するまで待機する。取扱説明を受信した場合（Ｓ４１：ＹＥＳ）、制御部１０は、受信した取扱説明を表示部１２に表示して（ステップＳ４２）、処理を終了する。
【００６０】
図１１は、テレビジョン受信機１による取扱説明の表示例を示す模式図である。再生装置５から取扱説明を受信したテレビジョン受信機１は、表示部１２の表示領域を部分的に利用し、例えば図示の例では左側の表示領域に取扱説明を表示する。本例では、テレビジョン受信機１の３Ｄ自動切替の設定項目に関連する情報として、再生装置５の取扱説明情報５５ｂの「自動で３Ｄモードに切り替えたくない場合」の情報が表示部１２の左側に表示されている。またこのときテレビジョン受信機１は、表示部１２の別の表示領域、例えば図示の例では右側の領域に再生装置５から画像入力部１３へ入力された画像を表示する。本例では、再生装置５の設定変更画面が表示部１２の右側に表示されている。これによりユーザは、再生装置５に関する取扱説明を参照しながら、再生装置５に対する設定変更の操作を行うことができる。
【００６１】
テレビジョン受信機１は、スピーカなどの音声出力手段を備えており、チューナ部１１にて受信したテレビジョン放送の音声データ、又は、再生装置５から入力された音声データに係る音声出力を行うことができる。またテレビジョン受信機１は、リモコン３によりユーザの操作を受け付けて種々の処理を行うことができる。図１１に示すように、再生装置５の取扱説明情報５５ｂの情報表示と、再生装置５から画像入力部１３へ入力された画像の表示とを、表示部１２の表示領域を分割して行った際に、テレビジョン受信機１は、リモコン３に対するユーザの操作がなされた場合には、この操作を取扱説明情報５５ｂの情報表示に対する操作として受け付ける。よってこの場合、リモコン３により受け付けられた操作は、例えば取扱説明情報５５ｂの情報表示に対する例えばスクロール、ページ変更、用語検索又は表示停止等の処理を行う指示として受け付けられる。またテレビジョン受信機１は、分割表示の際の音声出力を、再生装置５から画像入力部１３への入力画像に関連する音声の出力を優先して行う。ただしこのような操作受付及び音声出力の対象は、例えばリモコン３に設けられた切替ボタンなどに対するユーザの操作に応じて切り替わる構成であってよい。
【００６２】
またテレビジョン受信機１は、取扱説明情報５５ｂの情報表示を行っている際に、この情報表示の停止指示を例えばリモコン３のキャンセルボタンなどに対する操作によって受け付ける。取扱説明情報５５ｂの情報表示停止指示を受け付けたテレビジョン受信機１は、取扱説明情報５５ｂの情報表示を停止して、この情報表示を行う以前の表示状態へ復帰する。例えば図３に示した設定変更画面にて設定変更を受け付けたことにより図１１に示すような取扱説明情報５５ｂの情報表示を行っていた場合、テレビジョン受信機１は、情報表示停止指示の受け付けに応じて取扱説明情報５５ｂの情報表示を停止し、図３の設定変更画面の表示処理を行う。
【００６３】
図１２は、テレビジョン受信機１による取扱説明の表示停止処理の手順を示すフローチャートである。テレビジョン受信機１の制御部１０は、リモコン３により情報表示停止指示を受け付けたか否かを判定し（ステップＳ５１）、情報表示停止指示を受け付けていない場合には（Ｓ５１：ＮＯ）、情報表示停止指示を受け付けるまで、取扱説明情報５５ｂの情報表示を継続して行う。
【００６４】
情報表示停止指示を受け付けた場合（Ｓ５１：ＹＥＳ）、制御部１０は、表示部１２での取扱説明情報５５ｂの表示を停止し（ステップＳ５２）、表示部１２の表示状態を、取扱説明情報５５ｂの表示を行う以前の表示状態に復帰させて（ステップＳ５３）、処理を終了する。
【００６５】
以上の構成の本実施の形態に係るテレビジョン受信機１及び再生装置５で構成されるシステムは、テレビジョン受信機１にて設定変更が行われた場合に、変更した設定に関する情報をテレビジョン受信機１が再生装置５へ送信し、これを受信した再生装置５が変更された設定に関連する情報を記憶部５５の取扱説明情報５５ｂから検索し、該当する情報を再生装置５からテレビジョン受信機１へ送信して表示部１２に表示する。これにより、テレビジョン受信機１の設定変更を行ったユーザは、テレビジョン受信機１に接続された再生装置５の設定を変更する必要があるか否か、及び、設定変更の方法等を、表示部１２に表示された取扱説明により確認することができるため、テレビジョン受信機１及び再生装置５の設定変更を容易に行うことができる。
【００６６】
またテレビジョン受信機１から設定変更が通知された再生装置５は、テレビジョン受信機１の設定変更に連動して自装置にて変更すべき設定があるか否かを判定し、変更すべき設定がある場合に取扱説明情報５５ｂの検索を行う。これにより、変更すべき設定がないにも関わらず、再生装置５が取扱説明情報５５ｂに対する検索処理を行うことを防止できる。
【００６７】
また再生装置５は、設定変更の通知に応じて取扱説明情報５５ｂの検索を行い、検索結果から該当する情報が存在する場合に、この旨をテレビジョン受信機１へ通知する。テレビジョン受信機１は、再生装置５から該当する情報ありの通知を与えられた場合、表示部１２に表示選択画面を表示して、取扱説明を表示するか否かの選択を受け付ける。テレビジョン受信機１は取扱説明を表示する選択がなされた場合に取扱説明の送信要求を再生装置５へ与え、これに応じて再生装置５が該当する取扱説明をテレビジョン受信機１へ送信し、受信した取扱説明をテレビジョン受信機１が表示部１２に表示する。これにより、取扱説明の表示が不要であるにも関わらず再生装置５からテレビジョン受信機１へ取扱説明が送信されることを防止でき、例えば設定変更を熟知したユーザなどにとって既知の情報が表示される煩わしさを回避できる。
【００６８】
またテレビジョン受信機１は、設定項目と検索用単語とが対応付けられた検索用単語情報１７ｂを記憶部１７に記憶しておき、変更された設定項目及びこれに対応付けられた検索用単語を再生装置５へ送信する。再生装置５は、受信した検索用単語に基づいて取扱説明情報５５ｂに対する検索を行い、検索用単語を含む取扱説明をテレビジョン受信機１へ送信する。これにより再生装置５などテレビジョン受信機１に接続する外部装置が記憶する取扱説明情報５５ｂは、例えばテキスト情報など、単語の検索を行うことができる形式であればよいため、種々の外部装置を本システムに対応させることを容易化できる。
【００６９】
またテレビジョン受信機１は、再生装置５から受信した取扱説明と、再生装置５が出力した画像とを表示部１２に並べて表示する。これにより再生装置５の設定変更画面と設定に関連する取扱説明とをテレビジョン受信機１の表示部１２に並べて表示することが可能となり、ユーザによる再生装置５の設定変更操作を容易化できる。
【００７０】
またテレビジョン受信機１は、取扱説明情報５５ｂの情報表示の停止指示を受け付けた場合に、取扱説明情報５５ｂの情報表示を行う以前に行っていた表示処理を行う。これにより、テレビジョン受信機１は、取扱説明情報５５ｂの情報表示以前の表示状態に復帰するため、ユーザは以前に行っていた設定変更などの動作を継続して行うことができる。
【００７１】
なお本実施の形態においては、表示装置としてテレビジョン受信機１を例に説明を行ったが、これに限るものではなく、チューナ部１１を備えない（即ちテレビジョン放送を受信しない）表示装置であってもよく、プロジェクタのように液晶パネル又はＰＤＰ等の表示部１２を備えない表示装置であってもよい。また表示装置に接続する外部装置として再生装置５を例に説明を行ったが、これに限るものではなく、チューナ装置又はスピーカなどの音響装置等のその他の装置であってもよい。また表示装置及び外部装置は、有線接続するのではなく、無線接続する構成であってもよい。またテレビジョン受信機１に外部装置を１つ接続する構成としたが、これに限るものではなく、複数の外部装置を接続してもよく、この場合にはテレビジョン受信機１と各外部装置との間で、設定変更の通知及び取扱説明の送受信等の情報送受信を行えばよい。
【００７２】
また、本実施の形態においてはテレビジョン受信機１の３Ｄ自動切替の設定変更を例に説明を行ったが、設定変更はこれに限るものではなく、テレビジョン受信機１及び再生装置５のその他の種々の設定変更に本発明を適用することができる。例えばテレビジョン受信機１の地域設定、日時設定又はネットワーク設定等の設定変更に連動して、再生装置５又はその他の外部装置の設定変更を行う場合に、本実施の形態で説明したものと同様の処理を行うことができる。
【００７３】
また、再生装置５が記憶部５５に記憶する取扱説明情報５５ｂは、例えば再生装置５の製造工程などにて予め記憶されるものであってよく、また例えば再生装置５がインターネットなどを介して情報を取得する通信機能を有している場合、通信機能により取扱説明情報５５ｂを取得して記憶部５５に記憶してもよい。テレビジョン受信機１が記憶部１７に記憶する検索用単語情報１７ｂについても同様である。
【００７４】
また、テレビジョン受信機１はリモコン３にてユーザの操作を受け付ける構成としたが、これに限るものではなく、再生装置５の操作部５６と同様に、テレビジョン受信機１の本体に操作部を設けてユーザの操作を受け付ける構成としてもよい。また再生装置５は操作部５６にてユーザの操作を受け付ける構成としたが、これに限るものではなく、リモコンにてユーザの操作を受け付ける構成としてもよい。この場合、再生装置５のリモコンはテレビジョン受信機１のリモコン３と共用であってよい。
【００７５】
また、図３に示した設定変更画面の構成は一例であり、これに限るものではない。同様に、図８に示した表示選択画面の構成は一例であり、これに限るものではない。また図１１に示した取扱説明の表示画面の構成は一例であり、これに限るものではなく、例えば取扱説明と入力画像とを上下に並べて表示してもよく、また例えば表示部１２の表示領域全体に取扱説明を表示してもよく、その他の表示方法で表示してもよい。
【００７６】
また、図６に示したフローチャートにて、再生装置５は、テレビジョン受信機１にて変更された設定に連動する設定が存在し、且つ、取扱説明情報５５ｂに該当する取扱説明がある場合にのみ、テレビジョン受信機１へ通知を行う構成としたが、これに限るものではなく、連動する設定が存在しない場合、又は、該当する取扱説明がない場合であっても、連動する設定が存在しない又は該当する取扱説明がない旨をテレビジョン受信機１へ通知する構成としてもよい。また、図７に示したフローチャートにて、テレビジョン受信機１は、取扱説明を表示する選択がなされた場合に再生装置５へ取扱説明の送信要求を行い、表示しない選択がなされた場合に再生装置５との通信を行わない構成としたが、これに限るものではなく、取扱説明を表示しない選択がなされた場合に再生装置５へその旨を通知する構成としてもよい。
【００７７】
（実施の形態２）
図１３は、実施の形態２に係るテレビジョン受信機２０１の構成を示すブロック図である。実施の形態２に係るテレビジョン受信機２０１は、画像入力部１３及び通信部１４をそれぞれ２つ備えている。これによりテレビジョン受信機２０１には、２つの電子機器（本図では２つの再生装置５）を接続することができる。テレビジョン受信機２０１の制御部２１０は、複数の画像入力部１３から入力される複数の画像から一の画像を表示対象として選択し、選択した画像を表示部１２に表示する処理を行う。
【００７８】
テレビジョン受信機２０１は、ユーザの操作に応じて設定変更を行った場合、上述のように、接続された電子機器への設定変更の通知を行う。ただし実施の形態２に係るテレビジョン受信機２０１は、複数の電子機器が接続可能であるため、いずれか１つの電子機器を選択して設定変更の通知を行い、この通知に応じて電子機器から与えられた取扱説明情報を表示部１２に表示する。このときにテレビジョン受信機２０１は、設定変更の時点又はその前の時点にて表示部１２に表示していた画像の出力元である電子機器を設定変更の通知先として選択する。
【００７９】
図１４は、実施の形態２に係るテレビジョン受信機２０１が行う設定変更処理の手順を示すフローチャートである。テレビジョン受信機２０１の制御部２１０は、図３に示した設定変更画面にて設定が変更されたか否かを判定し（ステップＳ６１）、設定が変更されていない場合には（Ｓ６１：ＮＯ）、設定が変更されるまで待機する。設定が変更された場合（Ｓ６１：ＹＥＳ）、制御部２１０は、変更された設定に応じて各部の動作内容などを変更する設定変更処理を行うと共に（ステップＳ６２）、変更された設定情報を記憶部１７に記憶する（ステップＳ６３）。
【００８０】
次いで制御部２１０は、再生装置５などの外部機器が接続されているか否かを判定する（ステップＳ６４）。外部機器が接続されていない場合（Ｓ６４：ＮＯ）、制御部２１０は、処理を終了する。外部機器が接続されている場合（Ｓ６４：ＹＥＳ）、制御部２１０は、接続されている外部機器が複数であるか否かを更に判定する（ステップＳ６５）。外部機器が複数である場合（Ｓ６５：ＹＥＳ）、制御部２１０は、複数の外部機器から一の外部機器を通知対象として選択し（ステップＳ６６）、ステップＳ６７へ処理を進める。また外部機器が複数でない（即ち１つである）場合（Ｓ６５：ＮＯ）、制御部２１０は、この１つの外部機器を通知対象として、ステップＳ６７へ処理を進める。
【００８１】
次いで制御部２１０は、記憶部１７の検索用単語情報１７ｂから、変更された設定に対応する検索用単語を取得し（ステップＳ６７）、通知対象の外部機器へ通信部１４から設定変更を通知し（ステップＳ６８）、処理を終了する。
【００８２】
その後は、図６、図７、図９及び図１０等に示した処理をテレビジョン受信機２０１又は選択された一の電子機器（再生装置５）が行うことによって、テレビジョン受信機２０１の表示部１２には、選択された一の電子機器の取扱説明が表示される。
【００８３】
以上の構成の実施の形態２に係るテレビジョン受信機２０１は、複数の電子機器を接続することが可能な構成であり、設定変更が行われた場合には、接続された複数の電子機器から一の電子機器を選択して、設定変更の通知を行う。例えばテレビジョン受信機２０１は、表示部１２に表示中の画像の出力元である電子機器を、設定変更の通知対象として選択することができる。これにより、ユーザが設定変更を行った場合に、使用中の電子機器へ設定変更を通知することができ、この電子機器からの取扱説明情報を受信してテレビジョン受信機２０１の表示部１２に表示することができる。
【００８４】
なお本実施の形態においては、テレビジョン受信機２０１が２つの電子機器を接続可能な構成としたが、これに限るものではなく、３つ以上の電子機器を接続可能な構成であってよい。また、テレビジョン受信機２０１が複数の電子機器から一の電子機器を選択して設定変更を通知する構成としたが、これに限るものではない。例えばテレビジョン受信機２０１が接続された全ての電子機器へ設定変更を通知し、電子機器から送信された複数の取扱説明情報から一の取扱説明情報を選択して表示部１２に表示する構成としてもよい。また、テレビジョン受信機２０１が２つの電子機器から入力された２つの画像を表示部１２に並べて表示することができる場合、接続された複数の電子機器から２つの電子機器を選択して設定変更を通知する構成としてもよい（３つ以上についても同様である）。
【００８５】
また実施の形態２に係る表示システムのその他の構成は、実施の形態１に係る表示システムの構成と同様であるため、同様の箇所には同じ符号を付して詳細な説明を省略する。
【符号の説明】
【００８６】
１  テレビジョン受信機（表示装置）
３  リモコン（選択受付手段）
５  再生装置（電子機器）
７  記録媒体
１０  制御部（設定変更手段、表示処理手段）
１１  チューナ部
１２  表示部
１３  画像入力部（接続部）
１４  通信部（接続部、設定変更情報送信手段、検索情報受信手段、表示可否通知手段）
１５  赤外線受光部（選択受付手段）
１６  ＲＡＭ
１７  記憶部
１７ａ  設定情報
１７ｂ  検索用単語情報
５０  制御部（検索手段、設定変更判定手段）
５１  ディスク装着部
５２  ＲＡＭ
５３  画像出力部（接続部、画像出力手段）
５４  通信部（接続部、設定変更情報受信手段、検索情報送信手段、情報有無通知手段）
５５  記憶部
５５ａ  設定情報
５５ｂ  取扱説明情報
５６  操作部
２０１  テレビジョン受信機（表示装置）
２１０  制御部（設定変更手段、表示処理手段、電子機器選択手段、画像選択手段、停止指示受付手段）
【図１】
2013254471.tif 000003
【図２】
2013254471.tif 000004
【図３】
2013254471.tif 000005
【図４】
2013254471.tif 000006
【図５】
2013254471.tif 000007
【図６】
2013254471.tif 000008
【図７】
2013254471.tif 000009
【図８】
2013254471.tif 000010
【図９】
2013254471.tif 000011
【図１０】
2013254471.tif 000012
【図１１】
2013254471.tif 000013
【図１２】
2013254471.tif 000014
【図１３】
2013254471.tif 000015
【図１４】
2013254471.tif 000016